(57)【要約】【課題】音の入力受付等の検査が可能となる電子機器を提供する。【解決手段】音の入力受付を行う音入力受付部と、音の出力を行う音出力部と、前記音入力受付部に入力される音の音量を計測する計測部と、を備え、前記音出力部に所定の検査音を出力させ、該検査音が前記音入力受付部に入力される状況での前記計測を行う検査音計測動作を実行する電子機器とする。【選択図】図７
2014176000.tif 000002
【特許請求の範囲】
【請求項１】
音の入力受付を行う音入力受付部と、
音の出力を行う音出力部と、
前記音入力受付部に入力される音の音量を計測する計測部と、を備え、
前記音出力部に所定の検査音を出力させ、該検査音が前記音入力受付部に入力される状況での前記計測を行う検査音計測動作を実行する電子機器。
【請求項２】
前記入力受付が正常に行われるか否かを検査する検査実行部を備え、
前記検査実行部は、
前記検査音計測動作を実行し、該検査音計測動作における前記計測の結果に基づいて前記検査を行うことを特徴とする請求項１に記載の電子機器。
【請求項３】
前記検査実行部は、
前記検査音計測動作における前記計測の結果が所定の基準レベル以上であるか否かを判別することにより、前記検査を行うことを特徴とする請求項２に記載の電子機器。
【請求項４】
前記検査実行部は、
前記検査音を出力させる前に、前記音入力受付部に入力される音の音量を計測し、
該計測の結果に基づいて、出力される前記検査音の音量を調節することを特徴とする請求項３に記載の電子機器。
【請求項５】
前記検査実行部は、
前記検査音を出力させる前に、前記音入力受付部に入力される音の音量を複数種の周波数ごとに計測し、
該計測の結果に基づいて、出力される前記検査音の周波数特性を調節することを特徴とする請求項３に記載の電子機器。
【請求項６】
前記検査実行部は、
前記複数種の周波数の中から、計測された音量が最も小さかったものを選出し、
出力される前記検査音の主要周波数を、該選出された周波数となるように調節することを特徴とする請求項５に記載の電子機器。
【請求項７】
前記検査実行部は、
前記検査音計測動作における前記計測の結果が前記基準レベル以上ではなかった場合に、所定の警告情報を表示させることを特徴とする請求項３から請求項６の何れかに記載の電子機器。
【請求項８】
インストールされているアプリケーションソフトのうち、指定されたものを起動させる請求項２から請求項７の何れかに記載の電子機器であって、
前記検査実行部は、
前記音の入力受付を伴うアプリケーションソフトが指定されたときに、前記検査を行うことを特徴とする電子機器。
【請求項９】
前記検査音計測動作における前記計測の結果が前記基準レベル以上であった場合に限り、前記音の入力受付を伴うアプリケーションソフトの起動を許可することを特徴とする請求項８に記載の電子機器。
【請求項１０】
前記音の入力受付に用いられるマイクロフォンと、前記音の出力に用いられるスピーカと、を内蔵する筐体を備え、
前記筐体は、
該筐体の外部から前記マイクロフォンへ音を通し易くする穴を有し、
前記スピーカから該筐体の外部に向けて出力された前記検査音が、前記穴を通って前記マイクロフォンへ入力されるように形成されたことを特徴とする請求項２から請求項９の何れかに記載の電子機器。
【発明の詳細な説明】
【技術分野】
【０００１】
本発明は、音の入力を受付ける電子機器に関する。
【背景技術】
【０００２】
従来、マイクロフォンを備えた電子機器が広く利用されている。また携帯型端末や電話機等に代表される多くの電子機器には、通話等が実現可能となるように、マイクロフォンとともにスピーカも備えられている。
【先行技術文献】
【特許文献】
【０００３】
【特許文献１】特開２００４−２５８９１６号公報
【発明の概要】
【発明が解決しようとする課題】
【０００４】
上述した電子機器においては、各種要因によって、マイクロフォンによる音の入力受付等についての不具合が生じ得る。一例を挙げれば、電子機器が筐体内部にマイクロフォンを備え、かつ、外部の音をマイクロフォンへ通し易くするための穴が当該筐体に設けられた形態である場合、この穴が指等で塞がれると、適切な音の入力受付が阻害されることになる。
【０００５】
このような不具合が生じたままの状態では、電子機器を適切に利用することは難しい。そのため電子機器は、例えば、音の入力受付等の検査を適宜実行し、不具合のある場合には警告表示を行うようにすることが望ましい。
【０００６】
本発明は上述した問題に鑑み、音の入力受付等の検査が可能となる電子機器の提供を目的とする。
【課題を解決するための手段】
【０００７】
本発明に係る電子機器は、音の入力受付を行う音入力受付部と、音の出力を行う音出力部と、前記音入力受付部に入力される音の音量を計測する計測部と、を備え、前記音出力部に所定の検査音を出力させ、該検査音が前記音入力受付部に入力される状況での前記計測を行う検査音計測動作を実行する構成とする。本構成によれば、音の入力受付等の検査が可能となる。
【０００８】
また上記構成としてより具体的には、前記入力受付が正常に行われるか否かを検査する検査実行部を備え、前記検査実行部は、前記検査音計測動作を実行し、該検査音計測動作における前記計測の結果に基づいて前記検査を行う構成としてもよい。
【０００９】
また上記構成としてより具体的には、前記検査実行部は、前記検査音計測動作における前記計測の結果が所定の基準レベル以上であるか否かを判別することにより、前記検査を行う構成としてもよい。
【００１０】
また上記構成としてより具体的には、前記検査実行部は、前記検査音を出力させる前に、前記音入力受付部に入力される音の音量を計測し、該計測の結果に基づいて、出力される前記検査音の音量を調節する構成としてもよい。本構成によれば、環境音の状況を考慮して、検査をより適切に行うことが可能となる。
【００１１】
また上記構成としてより具体的には、前記検査実行部は、前記検査音を出力させる前に、前記音入力受付部に入力される音の音量を複数種の周波数ごとに計測し、該計測の結果に基づいて、出力される前記検査音の周波数特性を調節する構成としてもよい。本構成によれば、環境音の状況を考慮して、検査をより適切に行うことが可能となる。
【００１２】
また上記構成としてより具体的には、前記検査実行部は、前記複数種の周波数の中から、計測された音量が最も小さかったものを選出し、出力される前記検査音の主要周波数を、該選出された周波数となるように調節する構成としてもよい。なおここでの「主要周波数」は、その音における音量が最も高い周波数のことである。
【００１３】
また上記構成としてより具体的には、前記検査実行部は、前記検査音計測動作における前記計測の結果が前記基準レベル以上ではなかった場合に、所定の警告情報を表示させる構成としてもよい。本構成によれば、音の入力受付が正常に行われない状況をユーザに知らせることが可能となる。
【００１４】
またインストールされているアプリケーションソフトのうち、指定されたものを起動させる上記構成の電子機器において、前記検査実行部は、前記音の入力受付を伴うアプリケーションソフトが指定されたときに、前記検査を行う構成としてもよい。本構成によれば、当該検査を必要性の高い状況において行うことが可能となる。
【００１５】
また上記構成としてより具体的には、前記検査音計測動作における前記計測の結果が前記基準レベル以上であった場合に限り、指定された前記音の入力受付を伴うアプリケーションソフトの起動を許可する構成としてもよい。本構成によれば、音の入力受付が正常に行われない状況で当該アプリケーションソフトが利用されることによる不具合を、未然に防ぐことが可能となる。
【００１６】
また上記構成としてより具体的には、前記音の入力受付に用いられるマイクロフォンと、前記音の出力に用いられるスピーカと、を内蔵する筐体を備え、前記筐体は、該筐体の外部から前記マイクロフォンへ音を通し易くする穴を有し、前記スピーカから該筐体の外部に向けて出力された前記検査音が、前記穴を通って前記マイクロフォンへ入力されるように形成された構成としてもよい。
【発明の効果】
【００１７】
本発明に係る電子機器によれば、音の入力受付等の検査が可能となる。
【図面の簡単な説明】
【００１８】
【図１】本実施形態に係る電子機器の外観図である。
【図２】本実施形態に係る電子機器のブロック図である。
【図３】マイク穴が塞がれている状況に関する説明図である。
【図４】マイク穴が塞がれている状況に関する説明図である。
【図５】アプリ起動関連動作に関するフローチャートである。
【図６】アプリ選択画面に関する説明図である。
【図７】検査関連動作に関するフローチャートである。
【図８】基準レベルの設定に関する説明図である。
【図９】第１警告画面に関する説明図である。
【図１０】第２警告画面に関する説明図である。
【図１１】検査関連動作に関する別のフローチャートである。
【図１２】第３警告画面に関する説明図である。
【発明を実施するための形態】
【００１９】
本発明の実施形態について第１から第３の各実施形態を例に挙げ、図面を参照しながら以下に説明する。
【００２０】
１．第１実施形態
［電子機器の構成等］
まず第１実施形態について説明する。図１は、本実施形態に係る電子機器１の前方視点による外観図である。本図に示すように電子機器１は、前面にタッチパネル１１を備えた筐体１０に、各種の電子部品等が内蔵された形態となっている。電子機器１は、薄型で軽量化を実現させた携帯型の仕様となっている。
【００２１】
また図２は、電子機器１の機能に関するブロック図である。本図に示すように電子機器１は、タッチパネル１１、カメラ１２、スピーカ１３、マイクロフォン１４、アプリ実行部１５、検査実行部１６、および制御部１７を備えている。
【００２２】
タッチパネル１１は、各種情報の表示手段としての機能と、指やスタイラスペン等によるタッチ操作の受付手段としての機能を併せ持つ。タッチパネル１１は、タッチ操作がなされると電気的な状態（例えば電圧）が変化する。変化した状態はタッチされた位置によって異なるため、当該状態に基づいてタッチされた位置を検出することが可能である。
【００２３】
カメラ１２は、図１に示すように筐体１０の前方に露出する形態で設けられており、被写体を撮影することが可能である。カメラ１２は、例えば、電子機器１の前方に居るユーザ等の撮影に適しており、ビデオ通話等の用途に好適である。
【００２４】
スピーカ１３は、音の出力に用いられる装置である。スピーカ１３は、筐体１０に内蔵された形態で図１に示す位置に配置され、後方へ音を出力するように設定されている。なお筐体１０の後面には、スピーカ１３と対向する位置にスピーカ穴（不図示）が設けられている。スピーカ穴は、スピーカ１３から筐体１０の外部へ、音を通し易くする役割を果たす。スピーカ穴を設けることにより、スピーカ１３が筐体１０に保護されるようにしつつ、スピーカ１３から筐体１０の外部へ音を通し易くすることが可能となっている。
【００２５】
マイクロフォン１４は、音の入力受付に用いられる装置である。マイクロフォン１４は、筐体１０に内蔵された形態で図１に示す位置に配置され、前方から音が入力されるように設定されている。なお筐体１０の前面には、マイクロフォン１４と対向する位置にマイク穴１０ａが設けられている。マイク穴１０ａは、筐体１０の外部からマイクロフォン１４へ、音を通し易くする役割を果たす。マイク穴１０ａを設けることにより、マイクロフォン１４が筐体１０に保護されるようにしつつ、筐体１０の外部からマイクロフォン１４へ音を通し易くすることが可能となっている。
【００２６】
アプリ実行部１５は、電子機器１にインストールされているアプリケーションソフトウェア（以下、「アプリ」と略記することがある）を実行する。すなわちアプリ実行部１５は、制御部１７の指示に従ってアプリを起動させるとともに、実行中のアプリに基づいて各デバイス（１１〜１４）の全部または一部を制御する。これにより電子機器１は、これらのデバイスを使用し、実行中のアプリに応じたサービスをユーザに提供することが出来る。
【００２７】
なお電子機器１にインストールされているアプリは、マイクロフォン１４の使用を伴うもの（以下、便宜的に「マイク使用アプリ」と称する）と、マイク使用アプリではないものに分類できる。なおマイク使用アプリは、マイクロフォン１４による音の入力受付を伴うアプリと見ることも出来る。マイク使用アプリの具体例としては、ビデオ通話のアプリ等が挙げられる。
【００２８】
検査実行部１６は、マイクロフォン１４による音の入力受付の検査を行う。より具体的には、検査実行部１６は所定の検査関連動作（詳しくは後述する）を実行することにより、音の入力受付が正常に行われるか否かを検査する。
【００２９】
なお、音の入力受付が正常に行われない状況としては種々の状況が挙げられるが、本実施形態ではその一例として、マイク穴１０ａが塞がれている状況に着目することとする。この状況の具体例としては、図３に示すようにユーザ等の指がマイク穴１０ａを塞いでいる状況や、図４に示すように遮蔽物がマイク穴１０ａを塞いでいる状況等が挙げられる。このような状況では、筐体１０の外部からマイクロフォン１４へ音が通り難くなるため、音の入力受付が正常に行われない。
【００３０】
また検査実行部１６は、音量や周波数等の特性が定められた検査音ＥＳをスピーカ１３に出力させる機能や、マイクロフォン１４に入力された音の音量を計測する機能を有している。なお検査音ＥＳの主要周波数Ｆｓは、例えば１kHzに設定されている。主要周波数は、その音における音量が最も高い周波数のことである。
【００３１】
制御部１７は、電子機器１が適切に動作するように各部を制御する。なお制御部１７は、電子機器１にインストールされている各アプリについての主な情報（タイトルの情報や、マイク使用アプリであるか否かの情報など）を保有している。
【００３２】
［電子機器の動作等］
次に電子機器１が行う主要な動作について説明する。電子機器１は、所望のアプリケーションソフトを起動させるためのアプリ起動関連動作を行う。アプリ起動関連動作の内容について、図５に示すフローチャートを参照しながら以下に説明する。
【００３３】
制御部１７は、電子機器１にインストールされているアプリに関し、ユーザによる何れかのアプリの指定を待機する（ステップＳ１）。なおこのとき制御部１７は、図６に示すようなアプリ選択画面Ｓ０を、タッチパネル１１に表示させるようにしても良い。アプリ選択画面Ｓ０は、電子機器１にインストールされている各アプリのタイトルの一覧を表示させ、何れかのアプリの選択指定を受付けるための画面である。この場合ユーザは、所望のアプリの表示箇所をタッチすることにより、そのアプリを指定することが出来る。
【００３４】
何れかのアプリが指定されると（ステップＳ１のＹ）、制御部１７は、その指定されたアプリがマイク使用アプリであるか否かを判別する（ステップＳ２）。マイク使用アプリではない場合には（ステップＳ２のＮ）、制御部１７は、指定されたアプリを起動させるようにアプリ実行部１５を制御する。これにより当該アプリが起動されることになる。
【００３５】
その一方で、指定されたアプリがマイク使用アプリである場合には（ステップＳ２のＹ）、制御部１７は、そのアプリが起動される前に、検査関連動作を行わせるように検査実行部１６を制御する。これにより検査関連動作が実行されることになる（ステップＳ３）。そして検査関連動作が終了した後に、当該アプリ（マイク使用アプリ）が起動されることになる。
【００３６】
次に検査関連動作の内容について、図７に示すフローチャートを参照しながら以下に説明する。検査実行部１６は、スピーカ１３に検査音ＥＳを出力させ、マイクロフォン１４に入力される音の音量を計測する（ステップＳ１１）。この計測は、検査音ＥＳの主要周波数Ｆｓと同等またはこれに近い周波数に着目して、行われるようにしても良い。
【００３７】
なおスピーカ１３から出力された検査音ＥＳは筐体１０の外部で拡散するが、その一部は主にマイク穴１０ａを通ってマイクロフォン１４へ入力されることになる。当該計測は、このようにして検査音ＥＳがマイクロフォン１４に入力される状況で（つまりこのような状況となるタイミングで）行われる。
【００３８】
そして検査実行部１６は、ステップＳ１１の動作における計測の結果（計測された音量）が所定の基準レベルＣＬ以上であるか否かを判別する（ステップＳ１２）。この判別の動作は、マイクロフォン１４による音の入力受付が正常に行われるか否かについての検査に相当する。つまり、ステップＳ１１の動作における計測の結果が基準レベルＣＬ以上であれば、マイクロフォン１４による音の入力受付が正常に行われると判定され、そうでなければ、マイクロフォン１４による音の入力受付が正常に行われないと判定される。
【００３９】
ここで検査音ＥＳの特性は予め特定されており、更に、スピーカ１３とマイクロフォン１４の位置関係や筐体１０の形状（マイク穴１０ａの位置や大きさを含む）等も予め決まっている。そのため検査音ＥＳが出力された場合に、マイク穴１０ａが塞がれていない時（以下、「正常時」とする）に音量計測の結果がどの程度となるか、および、マイク穴１０ａが塞がれている時（以下、「異常時」とする）に音量計測の結果がどの程度となるかは、実験や計算等によって把握しておくことが可能である。
【００４０】
このような原理を利用して、基準レベルＣＬは、正常時と異常時の判別に用いることが可能となるように（正常時に計測される音量のレベルより低く、異常時に計測される音量のレベルより高くなるように）設定されている。
【００４１】
一例として、正常時と異常時の両方において検査音ＥＳを出力させたときに、図８（横軸が周波数を示し、縦軸が音量を示すグラフ）に示す音量計測の結果が得られたとする。この場合には、正常時に計測される周波数Ｆｓの音量レベルＣ１と、異常時に計測される周波数Ｆｓの音量レベルＣ２との間に位置するように、基準レベルＣＬが設定される。なお基準レベルＣＬの許容誤差等については、スピーカ１３やマイクロフォン１４の特性のバラつき等、当該検査に影響を及ぼす各種要因を総合的に考慮して決められる。
【００４２】
またステップＳ１２の動作における判別の動作は、複数種の周波数ごとに行われるようにしても良い。この場合には、例えば、何れかの周波数において当該条件が満たされていれば、マイクロフォン１４による音の入力受付が正常に行われると判定される。
【００４３】
図７に戻り、ステップＳ１１の動作における計測の結果が基準レベルＣＬ以上であった場合には（ステップＳ１２のＹ）、マイクロフォン１４による音の入力受付は正常に行われると判定され、検査関連動作は終了する。
【００４４】
一方で、ステップＳ１１の動作における計測の結果が基準レベルＣＬを下回っていた場合には（ステップＳ１２のＮ）、検査実行部１６は、カウント値Ｎが既定の上限値（例えば「３」）に達しているか否かを判別する（ステップＳ１３）。このカウント値は、検査関連動作の開始時にはゼロであり、後述するステップＳ１６の動作によって１ずつカウントアップされる値である。
【００４５】
カウント値Ｎが上限値に達していない場合には（ステップＳ１３のＮ）、検査実行部１６は、タッチパネル１１に第１警告画面Ｓ１を表示させる（ステップＳ１４）。第１警告画面Ｓ１は、図９に示すように、マイク穴１０ａが塞がれている可能性が有ること（現時点では音の入力受付が正常に行われないこと）をユーザに知らせ、塞いでいるものを取り除いた上で確認ボタンＳ１ａ（タッチパネル１１の所定箇所）をタッチすることをユーザに求める画面である。
【００４６】
ユーザは第１警告画面Ｓ１を見ることによって、音の入力受付が正常に行われない状況であることを認識する。また更にユーザは、マイク穴１０ａが塞がれている場合には、塞いでいるもの（指や遮蔽物など）を取り除いた上で確認ボタンＳ１ａをタッチすることが出来る。
【００４７】
また検査実行部１６は、第１警告画面Ｓ１を表示させた状態で、確認ボタンＳ１ａのタッチを待機する（ステップＳ１５）。確認ボタンＳ１ａがタッチされると（ステップＳ１５のＹ）、検査実行部１６は、カウント値Ｎをカウントアップして（ステップＳ１６）、ステップＳ１１以降の動作を繰返す。
【００４８】
マイク穴１０ａを塞いでいるものが取り除かれること等により、音の入力受付が正常に行われるよう改善されている場合には、次のステップＳ１２の動作において計測の結果が基準レベルＣＳ以上と判別され、検査関連動作が終了することとなる。改善されていない場合には、カウント値Ｎが上限値に達するまで、同様の動作が繰り返されることになる。
【００４９】
一方でカウント値Ｎが上限値に達した場合には（ステップＳ１３のＹ）、検査実行部１６は、タッチパネル１１に第２警告画面Ｓ２を表示させる（ステップＳ１７）。第２警告画面Ｓ２は、図１０に示すように、マイクロフォン１４が正常に機能しない可能性が有ることをユーザに知らせる画面である。第２警告画面Ｓ２が表示されると、検査関連動作は終了する。
【００５０】
ユーザは第２警告画面Ｓ２を見ることによって、音の入力受付が正常に行われない状況が、依然として改善されていないことを認識する。そのためユーザは、この点に注意しながら、指定したアプリを利用することが出来る。なお検査実行部１６は、カウント値Ｎが上限値に達した場合には、所定のエラー画面を表示させて検査関連動作を終了させるとともに、指定されたアプリが起動されないようにしても良い。
【００５１】
すなわち電子機器１は、ステップＳ１１の動作における計測の結果が基準レベルＣＳ以上であった場合に限り、指定されたマイク使用アプリの起動を許可するようにしても良い。この場合には、音の入力受付が正常に行われない状況でマイク使用アプリが利用されることによる不具合を、未然に防ぐことが可能である。
【００５２】
２．第２実施形態
次に第２実施形態について説明する。なお第２実施形態は、検査関連動作に関する点を除き、基本的には第１実施形態と同様である。以下の説明では、第１実施形態と異なる部分の説明に重点をおき、共通する部分については説明を省略することがある。
【００５３】
本実施形態の検査関連動作の内容について、図１１に示すフローチャートを参照しながら以下に説明する。検査実行部１６は、スピーカ１３による検査音ＥＳの連続出力と、マイクロフォン１４に入力される音の音量の連続計測を開始させる（ステップＳ２１）。この計測は、検査音ＥＳの主要周波数Ｆｓと同等またはこれに近い周波数に着目して、行われるようにしても良い。
【００５４】
なお検査音ＥＳの連続出力は、検査関連動作が終了するまで鳴り続ける形態の検査音ＥＳの出力である。また音量の連続計測は、検査関連動作が終了するまで連続的に行われる形態の音量の計測である。
【００５５】
そして検査実行部１６は、最初に計測された音量（最初の一定期間内に計測された音量の最大値等であっても良い）が、基準レベルＣＬ以上であるか否かを判別する（ステップＳ２２）。この判別の動作は、マイクロフォン１４による音の入力受付が正常に行われるか否かについての検査に相当する。ステップＳ２１の動作における計測の結果（計測された音量）が基準レベルＣＬ以上であった場合には（ステップＳ２２のＹ）、マイクロフォン１４による音の入力受付は正常に行われると判定され、検査関連動作は終了する。
【００５６】
一方で、ステップＳ２１の動作における計測の結果が基準レベルＣＬを下回っていた場合には（ステップＳ２２のＮ）、検査実行部１６は、タッチパネル１１に第３警告画面Ｓ３を表示させる（ステップＳ２３）。第３警告画面Ｓ３は、図１２に示すように、マイク穴１０ａが塞がれている可能性が有ること（現時点では音の入力受付が正常に行われないこと）をユーザに知らせ、塞いでいるものを取り除くことをユーザに求める画面である。
【００５７】
また検査実行部１６は、第３警告画面Ｓ３を表示させた状態で、計測される音量が基準レベルＣＬ以上となったか否か（ステップＳ２４）、および、検査音ＥＳの出力を開始してから所定の上限時間が経過したか否か（ステップＳ２５）を監視する。
【００５８】
このときユーザは第３警告画面Ｓ３を見ることによって、音の入力受付が正常に行われない状況であることを認識する。また更にユーザは、マイク穴１０ａが塞がれている場合には、塞いでいるもの（指や遮蔽物など）を取り除くことが出来る。
【００５９】
そしてマイク穴１０ａを塞いでいるものが取り除かれること等により、音の入力受付が正常に行われるよう改善された場合には、ステップＳ２４の動作により、計測される音量が基準レベルＣＳ以上であると判別される。これにより音の入力受付が正常に行われると判定され、検査関連動作が終了することとなる。改善されていない場合には、上限時間に達するまで当該監視が継続される。
【００６０】
そして上限時間に達した場合には（ステップＳ２５のＹ）、検査実行部１６は、タッチパネル１１に第２警告画面Ｓ２を表示させる（ステップＳ２６）。第２警告画面Ｓ２（図１０を参照）は、第１実施形態の場合と同様、マイクロフォン１４が正常に機能しない可能性が有ることをユーザに知らせる画面である。第２警告画面Ｓ２が表示された後、検査関連動作は終了する。
【００６１】
検査関連動作の流れについては、以上に説明した第１実施形態や第２実施形態の他、種々の形態とすることが可能である。何れの形態を採用するかについては、電子機器１の仕様や用途等に応じて決定することが出来る。
【００６２】
３．第３実施形態
次に第３実施形態について説明する。なお第３実施形態は、検査関連動作に関する点を除き、基本的には第１実施形態と同様である。以下の説明では、第１実施形態と異なる部分の説明に重点をおき、共通する部分については説明を省略することがある。
【００６３】
検査実行部１６は、検査関連動作が開始される度に、まず（検査音ＥＳを出力させる前に）検査音調節動作を実行する。検査音調節動作は、電子機器１の環境音（周囲の雑音）の程度に応じて、出力される検査音ＥＳの特性を調節するための動作である。
【００６４】
より具体的に説明すると、検査実行部１６は検査音調節動作として、まずマイクロフォン１４に入力される音の音量を計測する。このとき、検査音ＥＳは出力されていないため、マイクロフォン１４に入力される環境音の音量が計測されることになる。この計測は、検査音ＥＳの主要周波数Ｆｓと同等またはこれに近い周波数に着目して、行われるようにしても良い。
【００６５】
出力される検査音ＥＳの音量（出力音量）が環境音との関係で小さ過ぎる場合には、検査音ＥＳを出力させたとしても、正常時の音量計測結果と異常時の音量計測結果が近似してしまい、ステップＳ１２の動作において正常時と異常時を判別することは難しくなる。そこで検査実行部１６は、このような不具合を解消させるように、検査音ＥＳの出力音量を調節する。例えば検査実行部１６は、計測された環境音の音量に応じて、主要周波数Ｆｓを変えずに検査音ＥＳの出力音量を大きくする。
【００６６】
また当該調節を行ったことに伴い、検査実行部１６は、ステップＳ１２の動作における判別が適切になされるように、基準レベルＣＬについても調節を行う。すなわち検査実行部１６は、検査音ＥＳの出力音量を大きくする度合に応じて、基準レベルＣＬを上げる。
【００６７】
検査実行部１６は、以上に説明した検査音調節動作を行った上で、ステップＳ１１以降の動作を実行する。また以降に行われるステップＳ１１の動作においては、検査音調節動作によって調節済みの検査音ＥＳが用いられ、ステップＳ１２の動作においては調節済みの基準レベルＣＬが用いられる。そのため本実施形態によれば、音の入力受付の検査をより適切に行うことが可能である。
【００６８】
４．第４実施形態
次に第４実施形態について説明する。なお第４実施形態は、検査音調節動作の内容に関する点を除き、基本的には第３実施形態と同様である。以下の説明では、第３実施形態と異なる部分の説明に重点をおき、共通する部分については説明を省略することがある。
【００６９】
検査音調節動作として、第３実施形態では検査音ＥＳの音量を調節する動作が行われるが、第４実施形態では、検査音ＥＳの周波数特性を調節する動作が行われる。
【００７０】
より具体的に説明すると、検査実行部１６は検査音調節動作として、まずマイクロフォン１４に入力される音の音量を、予め決められた複数種の周波数（本実施形態では一例として、Ｆ１、Ｆ２、およびＦ３の３種類の周波数とする）ごとに計測する。このとき、検査音ＥＳは出力されていないため、マイクロフォン１４に入力される環境音の音量が計測されることになる。
【００７１】
そして検査実行部１６は、当該計測の結果に基づいて、出力される検査音ＥＳの周波数特性を調節する。例えば検査実行部１６は、Ｆ１〜Ｆ３の各周波数の中から、計測された音量が最も小さかった周波数を選出する。そして検査実行部１６は、出力される検査音ＥＳの主要周波数Ｆｓを、当該選出された周波数となるように調節する。このようにすれば、検査音ＥＳを出力させたときにおける正常時の音量計測結果と異常時の音量計測結果の差異を、より明確にすることが可能となる。そのため、ステップＳ１２の動作における判別をより適切に行うことが可能となる。
【００７２】
検査実行部１６は、以上に説明した検査音調節動作を行った上で、ステップＳ１１以降の動作を実行する。またステップＳ１１の動作においては、検査音調節動作によって調節済みの検査音ＥＳが用いられる。そのため本実施形態によれば、音の入力受付の検査をより適切に行うことが可能である。
【００７３】
５．その他
以上に説明した通り、各実施形態の電子機器１は、音の入力受付を行うマイクロフォン１４と、音の出力を行うスピーカ１３と、マイクロフォン１４に入力される音の音量を計測する機能部（計測部）と、を備え、ステップＳ１１の動作（検査音計測動作）を実行する。なお検査音計測動作は、スピーカ１３に検査音ＥＳを出力させ、検査音ＥＳがマイクロフォン１４に入力される状況での前記計測を行う動作である。
【００７４】
これにより電子機器１は、音の入力受付等の検査が可能となっている。また当該検査は、通常動作時に利用されるマイクロフォン１４やスピーカ１３を流用して実現される。そのため、当該検査のための専用部品等を別途設ける必要性は殆ど無く、製造コストの抑制や製品の小型化を出来るだけ妨げることなく、当該検査を実現させることが可能である。
【００７５】
なお検査音ＥＳは、可聴音（人間の耳に聞こえる範囲の周波数の音）としても良く、可聴音ではない音としても良い。可聴音とする場合には、検査音ＥＳが正しく出力されているか、或いは、環境音との関係で小さ過ぎないか等について、ある程度はユーザによって判別可能となる。一方で可聴音ではない音とする場合には、ユーザが検査音ＥＳを耳障りに感じるといった問題を、未然に防ぐことが可能となる。
【００７６】
また電子機器１は、音の入力受付が正常に行われるか否かを検査する検査実行部１６を備え、検査実行部１６は、検査音計測動作を実行し、検査音計測動作における計測の結果に基づいて前記検査を行う。より具体的に説明すると検査実行部１６は、検査音計測動作における計測の結果が基準レベルＣＬ以上であるか否かを判別することにより、前記検査を行う。これにより電子機器１は、音の入力受付の検査を適切に実現させる。
【００７７】
なお電子機器１は、スピーカ１３による音の出力が正常に行われるという前提に立ち、検査音計測動作における計測の結果が基準レベルＣＬ以上でなければ、マイクロフォン１４による音の入力受付が正常に行われないと判定する。この点に関して電子機器１は、マイクロフォン１４による音の入力受付が正常に行われるという前提に立ち、ステップＳ１１の動作における計測の結果が基準レベルＣＬ以上でなければ、スピーカ１３による音の出力が正常に行われないと判定するようにしても良い。この例のように本発明に係る電子機器は、音の入力受付の検査を行う代わりに、音の出力の検査を行う形態でも実施され得る。
【００７８】
また第３実施形態の電子機器１における検査実行部１６は、検査音ＥＳを出力させる前にマイクロフォン１４に入力される音の音量を計測し、該計測の結果に基づいて、出力される検査音ＥＳの音量を調節する。これにより環境音の状況を考慮し、検査をより適切に行うことが可能である。
【００７９】
また第４実施形態の電子機器１における検査実行部１６は、検査音ＥＳを出力させる前にマイクロフォン１４に入力される音の音量を複数種の周波数ごとに計測し、該計測の結果に基づいて、出力される検査音ＥＳの周波数特性を調節する。すなわち検査実行部１６は、これら複数種の周波数の中から、計測された音量が最も小さかったものを選出し、出力される検査音ＥＳの主要周波数を、該選出された周波数となるように調節する。これにより環境音の状況を考慮し、検査をより適切に行うことが可能である。
【００８０】
また各実施形態の電子機器１における検査実行部１６は、検査音計測動作における計測の結果が基準レベルＣＬ以上ではなかった場合に、第１警告情報Ｓ１を表示させる。これによりユーザは、音の入力受付が正常に行われない状況であること等を、認識することができる。
【００８１】
また各実施形態の電子機器１は、インストールされているアプリケーションソフトのうち、ユーザに指定されたものを起動させるようになっている。そして検査実行部１６は、マイクロフォン１４による音の入力受付を伴うアプリケーションソフトが指定されたときに、当該入力受付が正常に行われるか否かの検査を行う。このように検査実行部１６は、当該検査を必要性の高い状況において行うため、無駄な動作を出来るだけ排除することが可能である。
【００８２】
また本発明の構成は、上記の各実施形態や変形例のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、スピーカとマイクロフォンを有する各種の電子機器などに利用することができる。
【符号の説明】
【００８３】
１        電子機器
１０      筐体
１０ａ    マイク穴
１１      タッチパネル
１２      カメラ
１３      スピーカ
１４      マイクロフォン
１５      アプリ実行部
１６      検査実行部
１７      制御部
Ｓ０      アプリ選択画面
Ｓ１      第１警告画面
Ｓ１ａ    確認ボタン
Ｓ２      第２警告画面
Ｓ３      第３警告画面
【図１】
2014176000.tif 000003
【図２】
2014176000.tif 000004
【図３】
2014176000.tif 000005
【図４】
2014176000.tif 000006
【図５】
2014176000.tif 000007
【図６】
2014176000.tif 000008
【図７】
2014176000.tif 000009
【図８】
2014176000.tif 000010
【図９】
2014176000.tif 000011
【図１０】
2014176000.tif 000012
【図１１】
2014176000.tif 000013
【図１２】
2014176000.tif 000014